(57)【特許請求の範囲】
【請求項１】
少なくとも、径方向に延びる引張材と所定径の円周方向に延びる引張材が配筋された基礎底版と、該基礎底版上に設けられた側壁と、から構成される液体貯槽用の低温貯槽タンクの前記側壁と前記基礎底版とをアンカーにて繋ぐ接続構造であって、
長尺のアンカー部材と、該アンカー部材の下端に固設されるとともに前記基礎底版上面に当接するベースプレートと、該ベースプレートの下面に固設されるとともに基礎底版内に埋め込まれる複数枚の有孔プレートと、からなるアンカーが、円筒状の側壁の円周方向に沿って一定の間隔を置いて配設され、
前記複数枚の有孔プレートは、所定径の円周方向に間隔を置いて該円周方向に有孔プレート面が向けられた姿勢で配設され、基礎底版の前記円周方向に延びる引張材が前記複数枚の有孔プレートの孔を貫通し、かつ、前記複数枚の有孔プレートの間に基礎底版に配筋された径方向に延びる引張材が貫通してなることを特徴とする側壁と基礎底版の接続構造。
【請求項２】
少なくとも、径方向に延びる引張材と所定径の円周方向に延びる引張材が配筋された基礎底版と、該基礎底版上に設けられた側壁と、から構成される液体貯槽用の低温貯槽タンクの前記側壁と前記基礎底版とをアンカーにて繋ぐ接続構造であって、
長尺のアンカー部材と、該アンカー部材の下端に固設されるとともに前記基礎底版上面に当接するベースプレートと、該ベースプレートの下面に固設されるとともに基礎底版内に埋め込まれる複数枚の有孔プレートと、からなるアンカーが、円筒状の側壁の円周方向に沿って一定の間隔を置いて配設され、
前記複数枚の有孔プレートは、径方向に間隔を置いて該径方向に有孔プレート面が向けられた姿勢で配設され、基礎底版の前記径方向に延びる引張材が前記複数枚の有孔プレートの孔を貫通し、かつ、前記複数枚の有孔プレートの間に基礎底版に配筋された円周方向に延びる引張材が貫通してなることを特徴とする側壁と基礎底版の接続構造。
【請求項３】
前記側壁は、筒状の保冷用側壁と、該保冷用側壁の内側に設けられた内槽側板と、から少なくとも構成されており、該内槽側板と前記基礎底版とを繋ぐことを特徴とする請求項１または２に記載の側壁と基礎底版の接続構造。
【発明の詳細な説明】
【技術分野】
【０００１】
本発明は、ＬＮＧ（液化天然ガス）などの貯槽タンクを構成する側壁と基礎底版とを繋ぐアンカーによって形成された側壁と基礎底版の接続構造に係り、特に、施工性の向上と製作コストの低廉化を図ることのできるアンカーによって形成された側壁と基礎底版の接続構造に関するものである。
【背景技術】
【０００２】
ＬＮＧ（液化天然ガス）などの低温貯槽を必要とする液体貯槽用の低温貯槽タンクのうち、保冷用側壁の内側に設けられた内槽側板には、内槽されるガス圧力によって上向力が生じ、かかる上向力によって齎される転倒モーメントによる引張力に抗し得るアンカーにて該内槽側板と基礎底版とが接続された構造が採用されている。また、内槽側板には、上記する上向力以外にも、風や地震によって齎される転倒モーメントによって引張力が生じ、かかる引張力に対しても内槽側板と基礎底版とを繋ぐ上記アンカーが抵抗するものである。
【０００３】
例えばＬＮＧ貯槽タンクを設計するに際しては、社団法人日本ガス協会による「ＬＮＧ地上式貯槽指針」（非特許文献１）に則って、その設計がおこなわれるのが一般的である。この指針においても、タンクに生じる上記上向力や地震力による転倒モーメントを考慮して、内槽アンカーを設ける旨の記載がある。
【０００４】
上記する低温貯槽タンクにおける従来の内槽アンカーは、その一端を基礎底版に強固に固定するために、該基礎底版に深く根入れさせる形態が一般的であった。しかし、内槽アンカーの根入れ長が長くなることにより、基礎の配筋と干渉し、したがって内槽アンカーの設置が極めて困難となるといった問題が生じていた。この場合、例えば基礎底版の配筋を一部切断したり、端部が折り曲げ加工された鉄筋を配筋する等し、内槽アンカーを設置後に補強筋をさらに配筋するといった具合にその施工性の低下は否めない。さらには、補強筋の設置等によって配筋がより密な状態となり、基礎底版コンクリートの打設の際に、コンクリートが配筋内に十分に充填されるか否かといった品質不良の発生の懸念もあった。
【０００５】
また、従来の側壁と基礎底版との接続構造は、図９にも示すように、側壁（保冷用側壁ｄとその内部の内槽側板ｅとその外部の外槽側板ｆからなる）の内槽側板ｅと基礎底版ｂとをアンカーａにて繋ぐ構造となっている。このアンカーａは、アンカー部材ａ１と、該アンカー部材ａ１が貫通する筒状のアンカースリーブａ２と、該アンカースリーブａ２の底面にせん断補強用のベースプレートａ３を固設し、さらに、該ベースプレートａ３の底面に補強用リブａ４をさらに備えた構成となっており、その製作コストも比較的高価なものであった。また、アンカースリーブａ２やベースプレートａ３と基礎底版ｂ内の引張材（鉄筋やＰＣ鋼材）との干渉を回避するために、基礎底版ｂの中心から放射状に延びる引張材ｂ１，ｂ１，…の端部を折り曲げ加工しておき、さらには、アンカースリーブａ２やベースプレートａ３が設置されるスペースを確保するように円周方向に延びる引張材ｂ２，ｂ２，…を配設するように施工がなされていた。したがって、基礎底版用の引張材の配設施工やアンカーの設置、さらには補強用引張材の配設など、施工が複雑となることにより、施工性の低下は否めなかった。
【０００６】
なお、アンカーを基礎底版に定着させる従来技術としては、例えば特許文献１に開示の技術を挙げることができる。これは橋脚と基礎とを緊張材にて連結する構造であるが、基礎底版内に複数の有孔アンカープレートを埋め込んでおき、この孔に、基礎底版の下端と橋脚の上端に跨るプレストレスの導入が可能な緊張材を貫通させ、プレテンション方式にて橋脚と基礎底版とを連結してなる橋梁構造に関するものである。
【０００７】
【非特許文献１】ＬＮＧ地上式貯槽指針  ＪＧＡ指―１０８−０２（社団法人日本ガス協会  ガス工作物等技術基準調査委員会）  ４．５．１．６  内槽アンカー
【特許文献１】特開平１１−２１８１６号公報
【発明の開示】
【発明が解決しようとする課題】
【０００８】
特許文献１に開示の橋梁構造によれば、緊張材からなるアンカーによって、地震時の水平力が橋脚に作用しても、アンカーに引抜きせん断破壊が生じる可能性が低くなる。しかし、アンカーは、基礎底版を貫通して設けられることから、基礎底版内の配筋との干渉の問題を解決するには至らず、したがって、施工性の向上も期待し難い。
【０００９】
本発明は、上記する問題に鑑みてなされたものであり、施工性の向上と製作コストの低廉化を図ることのできるアンカーにて貯槽タンクを構成する側壁と基礎底版とを繋ぐことによって形成される側壁と基礎底版の接続構造を提供することを目的とする。
【課題を解決するための手段】
【００１０】
前記目的を達成すべく、本発明によるアンカーは、基礎底版と、該基礎底版上に設けられた側壁と、から少なくとも構成される貯槽タンクにおいて、側壁と基礎底版とを繋ぐアンカーであって、前記アンカーは、長尺のアンカー部材と、アンカー部材の一端に固設されるとともに基礎底版上面に当接するベースプレートと、該ベースプレートの下面に固設されるとともに基礎底版内に埋め込まれる１枚以上の有孔プレートと、からなることを特徴とする。
【００１１】
本発明のアンカーは、少なくとも基礎底版と、側壁を備えてなる、例えば地上式ないしは地下式の貯槽タンクに好適であり、タンク内容物は特に限定されるものではない。側壁の上部には、例えば、フラットな形状ないしはドーム状の天井が取付けられる。この貯槽タンクは、鉄筋コンクリート構造、プレストレストコンクリート構造など、その構造形式は特に限定されるものではない。例えば、基礎底版と側壁の双方が鉄筋コンクリート造であったり、双方がプレストレストコンクリート造であったり、基礎底版がコンクリート造ないしはプレストレストコンクリート造であり、側壁がＳ造（鋼製）の組合せからなる構造形式などがある。さらに、基礎底版は、地盤上に直接支持される直接基礎形式であっても、鋼管杭やＰＨＣ杭、ＳＲＣ杭、場所打ちＲＣ杭などに支持される杭基礎形式であってもよい。
【００１２】
使用されるアンカー部材としては、長尺の平鋼や鋼棒など、所要の引張強度を備えた素材であれば特に限定されるものではない。
【００１３】
このアンカー部材は、その一端で側壁と接続され、その他端にはベースプレートが固設されている。このベースプレートは、例えば鋼製ないしはプレキャストコンクリート製からなる。アンカー部材と側壁との接続は、例えば溶接やボルト留めにておこなうことができる。一方、アンカー部材とベースプレートとの固設も同様に溶接やボルト留めにておこなうことができる。
【００１４】
上記するベースプレートは、基礎底版上に載置される。ベースプレートの下面には１枚以上の鋼製の有孔プレートが例えば溶接にて固設されており、この有孔プレートが基礎底版内に埋め込まれることにより、該有孔プレートとベースプレートとアンカー部材とを介して、側壁と基礎底版とを堅固に繋ぐことができる。
【００１５】
有孔プレートには、基礎底版内に配筋される鉄筋ないしはＰＣ鋼材（ＰＣ鋼線、ＰＣ鋼棒等）の引張材が通されることにより、有孔プレートと基礎底版との接続強度をより堅固なものとすることができる。また、有孔プレートには、引張材貫通用の孔のほかにも、基礎底版とのより強固な接続を可能にするために、スタッドジベル筋が該有孔プレートの一方面ないしは両面に固設された形態であってもよい。さらには、基礎底版用の引張材が貫通する孔以外の孔を有孔プレートに穿孔しておき、現場にて、該孔に補強筋を貫通固定させる形態であってもよい。さらに、有孔プレートの下端には、支圧強度を付与するためのフランジを固設しておくこともできる。なお、施工に際しては、本発明のアンカーを構成する有孔プレートの孔に基礎底版の引張材（鉄筋やＰＣ鋼材）を貫通させた後に、基礎底版用のコンクリートが打設されることとなる。
【００１６】
本発明のアンカーを使用することにより、基礎底版内の配筋とアンカーとの干渉の問題を解消することができ、基礎底版内の配筋を切断した後に補強筋を配設する必要もないことから、施工性を格段に向上させることができる。また、アンカーの構成が、アンカー部材と、ベースプレートと、例えば２枚の有孔プレートとからなる極めてシンプルな構成であることから、低廉に本発明のアンカーを製作することができる。なお、ベースプレートを基礎底版上に設置することから、アンカー部材とベースプレートとの接続部を囲繞するようにアンカースリーブを設けた構成としてもよく、かかる形態であっても基礎底版内の引張材と干渉するといった問題は生じ得ない。
【００１７】
また、本発明によるアンカーの他の実施形態において、前記側壁は、筒状の保冷用側壁と、該保冷用側壁の内側に設けられた内槽側板と、から少なくとも構成されており、前記内槽側板と前記基礎底版とを繋ぐことを特徴とする。
【００１８】
例えば、本発明のアンカーが適用される貯槽タンクが、ＬＮＧ貯蔵用の地上式ないしは地下式タンクの場合には、内容物の温度（冷熱）を外部に逃がさないような側壁構造が必要不可欠となる。そこで、本発明のアンカーは、特に、貯槽タンクを構成する側壁が筒状の保冷用側壁と、該保冷用側壁の内側に設けられた内槽側板とから構成される場合に、その内側の内槽側板と基礎底版とを繋ぐ用途に適用されるものである。なお、側壁の構造としては、保冷用側壁のさらに外側に鋼製の外槽側板が設けられた構造であってもよい。かかる貯槽タンクの内槽側板においては、既述するように、内槽されるガスの圧力によって上向力が生じ、かかる上向力によって転倒モーメントが齎されたり、風や地震によって転倒モーメントが齎される。かかる転倒モーメントによって引張力が発生するが、この引張力に対して、内槽側板と基礎底版とを繋ぐアンカーが抵抗することにより、側壁の安定が保持されることとなる。本発明のアンカーは、かかる用途の貯槽タンクに適用されるものであり、既述するように、そのシンプルな構成と、基礎底版内の配筋との干渉の問題を解消できることで、アンカーの製作に要するコストの低廉化と施工性の向上を図ることが可能となる。
【００１９】
また、本発明によるアンカーの他の実施形態において、２枚の前記有孔プレートはそれぞれ、所定径の円周方向に間隔を置いて配設されるとともに、該円周の法線方向または略法線方向に向けられた姿勢で前記ベースプレートに固設されていることを特徴とする。
【００２０】
例えば、貯槽タンクの基礎底版が平面視円形に形成されている場合には、該基礎底版内の配筋は、円周方向と径方向（放射方向）に主筋が配され、基礎底版の上下において、それらの配筋がシングル配筋ないしはダブル配筋されるのが一般的である。また、使用される引張材としては、鉄筋やＰＣ鋼材（ＰＣ鋼棒、ＰＣ鋼線、ＰＣ鋼より線）、さらにはそれらを組合せた形態が適用される。
【００２１】
そこで、本発明では、アンカーを構成する例えば２枚の有孔プレートが、所定径の円周方向に間隔を置いて配設された姿勢でベースプレートに固設されてなるアンカーとするものである。ここで、所定径とは、円筒状の内槽側板の外周に複数のアンカーが設置される場合に、かかる複数のアンカーのベースプレートが位置決めされてできる円周の径のことを意味している。この円周の法線方向ないしは略法線方向に２枚の対向する有孔プレートを配設しておくことにより（有孔プレート面は円周方向に向いた姿勢となっている）、双方のプレートに穿孔された孔に基礎底版の周方向の引張材を貫通させることができ、アンカーと基礎底版とのより強固な接続が可能となる。
【００２２】
本発明のアンカーによれば、基礎底版の周方向の引張材はプレートの孔に貫通させ、基礎底版の径方向（放射方向）の引張材には、有孔プレートがほぼ平行な状態となることから、いずれの方向の引張材とも干渉することなく、したがって、施工性を低下させるといった問題は生じ得ない。
【００２３】
また、本発明によるアンカーの他の実施形態において、２枚の前記有孔プレートは、所定径の円周の径方向に間隔を置いて配設されながら前記ベースプレートに固設されていることを特徴とする。
【００２４】
本発明のアンカーは、基礎底版内において少なくとも該基礎底版の中心から径方向（放射方向）に配筋がなされる場合において、その配筋方向に２枚の有孔プレートを間隔をおいて配しながら、該２枚の有孔プレートを直立させた姿勢でベースプレートに固定してなるアンカーに関するものである。ここで、有孔プレート面は径方向の引張材に対して直交した姿勢となっている。有孔プレートの孔に放射方向に延びる鉄筋ないしはＰＣ鋼材を貫通させることにより、かかる引張材を切断することなく、さらにはかかる引張材にて有孔プレートが拘束されることにより、アンカーと基礎底版との接続強度を向上させることができる。
【００２５】
また、かかる形態のアンカーでは、２枚の有孔プレートは円周方向に延びる引張材に対して平行ないしはほぼ平行に配されることとなり、したがって、この円周方向の引張材と有孔プレートとが干渉することもない。
【００２６】
また、本発明による側壁と基礎底版の接続構造は、前記アンカーを構成する有孔プレートの孔に、基礎底版の円周方向に延びる引張材が貫通してなることを特徴とするものである。また、他の実施形態としては、前記アンカーを構成する有孔プレートの孔に、基礎底版の径方向に延びる引張材が貫通してなることを特徴とするものである。
【００２７】
上記する本発明のアンカーを適用してなる側壁と基礎底版の接続構造とすることで、その施工性の向上と、側壁と基礎底版との強固な接続が可能となる。側壁が、既述する内槽側板と保冷用側壁とから少なくとも構成されている形態においては、該内槽側板と基礎底版とが本発明のアンカーを介して接続されることにより、側壁と基礎底版との接続構造が形成されることとなる。
【００２８】
また、本発明による貯槽タンクは、前記側壁と基礎底版の接続構造を備えてなることを特徴とする。
【００２９】
本発明の貯槽タンクの用途は、大規模タンク〜小規模タンクを包含し、さらには地上タンクや地下タンク、半地下式のタンクを包含し、その用途としては、例えば上下水道用の貯水タンクやファームポンドなど、あらゆる内容物を収容するタンクを包含するものである。
【００３０】
さらに、本発明の貯槽タンクの好ましい実施形態としては、前記基礎底版上には保冷用底版が設けられ、かつ、筒状の保冷用側壁と、該保冷用側壁の内側に設けられた内槽側板とからなる側壁が設けられており、少なくとも該側壁は地上に設置されていることを特徴とする。
【００３１】
保冷を必要とするＬＮＧまたはＬＰＧ貯蔵用の地上タンクとして、本発明の側壁と基礎底版の接続構造を備えた貯槽タンクを適用するのが好適である。側壁の構造が多重構造であること、基礎底版内の配筋が一般に過密であること、引張材として鉄筋やＰＣ鋼材が錯綜する構造であることなどから、よりシンプルな構成のアンカーを適用することにより、接続強度の確保は勿論のこと、その施工性を格段に向上させることができ、工費の大幅な削減に繋がるからである。
【発明の効果】
【００３２】
以上の説明から理解できるように、本発明の側壁と基礎底版の接続構造によれば、アンカーの構成が極めてシンプルであることに加えて、基礎底版内の配筋と何ら干渉することがないために、アンカー製作コストを低廉にでき、施工性の向上も図ることができるため、全体工費の削減を実現できる。また、上記する側壁と基礎底版の接続構造を備えたタンク構造とすることにより、側壁（例えば内槽側板）と基礎底版との十分な接続強度を確保しながら、その工費の大幅な削減を実現することができる。
【発明を実施するための最良の形態】
【００３３】
以下、図面を参照して本発明の実施の形態を説明する。図１は、本発明のＬＮＧ地上式貯槽タンクの外観およびその内部構造を示した模式図を、図２は、図１のＬＮＧ地上式貯槽タンクの基礎底版〜側壁の一部までを示した斜視図であって、基礎底版の一部の内部の配筋形態を示した図をそれぞれ示している。図３は、本発明のアンカーの一実施の形態を示した斜視図を、図４は、本発明のアンカーの他の実施の形態を示した斜視図をそれぞれ示している。図５は、図３に示すアンカーを使用した本発明の側壁と基礎底版の接続構造の一実施の形態を示した縦断図を、図６は、図５のＶＩ−ＶＩ矢視図を、図７は、図４に示すアンカーを使用した本発明の側壁と基礎底版の接続構造の他の実施の形態を示した縦断図を、図８は、図７のＶＩＩＩ−ＶＩＩＩ矢視図をそれぞれ示している。なお、図示する貯槽タンクはＬＮＧ地上式貯槽タンクを示しているが、本発明のアンカーおよび側壁と基礎底版の接続構造を適用してなる貯槽タンクが図示する実施形態や用途に限定されるものでないことは勿論のことである。例えば、本発明のアンカーは、有孔プレートの下端にフランジが取付けられた形態や、有孔プレートの側面にスタッドジベル筋が取付けられた形態などを適用することもできる。また、本発明の貯槽タンクは、ＬＮＧのほかにもＬＰＧや水等を貯槽する用途に適用できるとともに、円筒状の側壁に限らず、平面視で楕円形状や矩形の側壁であってもよい。
【００３４】
図１は、本発明のアンカーが適用されるＬＮＧ地上式貯槽タンクの外観とその内部構造の一部を示した図である。ＬＮＧ地上式貯槽タンク１００は、杭９２，９２，…にて支持された基礎底版２と、その上方に設置された保冷用底版３、円筒状の保冷用側壁６と、その内側に取付けられた内槽側板４と、保冷用側壁６の外側に取付けられた外槽側板５、側壁上端に設置されたドーム状の天井７とから構成されている。ここで、内槽側板４と基礎底版２とが本発明のアンカー１にて接続されている。
【００３５】
内槽側板４内には、ＬＮＧ（液化天然ガス）が貯槽されており、貯槽タンク１００の外周には、液化天然ガスが漏洩した際に外部に流出するのを防止するための防液堤９１が該貯槽タンク１００を囲繞するように設置されている。なお、貯槽タンクは、図示する地上式のみならず、地下式、半地下式などの別途の形式であってもよく、さらには、地盤が極めて強固な場合には直接基礎形式が適用でき、所定の深度まで地盤改良を施した上で直接基礎形式を適用してもよい。
【００３６】
図２は、ＬＮＧ地上式貯槽タンク１００の基礎底版２〜側壁の一部までを示した斜視図であり、基礎底版２の一部の内部の配筋形態を示した図である。本発明のアンカー１，１，…は、円筒状の側壁の円周方向に沿って、一定の間隔を置いて内槽側板４と基礎底版２とを繋ぐように設置されている。
【００３７】
基礎底版２を構成する配筋形態は、円盤状の基礎底版２の中心から放射状（径方向）に配設された引張材２２，２２、…と、基礎底版２の中心から徐々に拡径されたリング状の周方向の引張材２１，２１，…と、から大略構成されており、さらに、図示しない平面内で直交するように配設された引張材とから構成されている。また、基礎底版２内において、上記引張材は、上方と下方にて配筋されており、例えばそれぞれが２段配筋された構成や１段配筋された構成、さらには、必要な箇所のみ２段配筋された構成などとなっている。
【００３８】
ここで、引張材としては、所定仕様の鉄筋（異形棒鋼ＳＤ２９５、ＳＤ３４５など）や、所定仕様のＰＣ鋼材（ＰＣ鋼棒、ＰＣ鋼線、ＰＣ鋼より線）が組み合わされながら適用されている。
【００３９】
図３は、本発明のアンカーの一実施の形態を示した図である。アンカー１は、長尺のアンカー部材１１と、その端部がアンカースリーブ１４内に遊嵌された状態で該アンカー部材１１の端部１１ａとアンカースリーブ１４の端部が溶接にて固設されたベースプレート１２と、該ベースプレート１２の下面に間隔を置いて固設された２枚の有孔プレート１３ａ，１３ｂとから構成されている。アンカー部材１１の他端１１ｂは、内槽側板４の外側表面と溶接やボルト留めにて接続される。
【００４０】
２枚の有孔プレート１３ａ，１３ｂは、基礎底版２の周方向の引張材２１，２１，…が貫通するための孔１３ａ１，…，１３ｂ１，…がそれぞれのプレートに穿孔されており、周方向の引張材２１，２１，…の延設方向に直交ないしは略直交する方向に立設した姿勢でベースプレート１２に溶接にて固設されている。
【００４１】
このアンカー１では、基礎底版２の径方向の引張材が２枚の有孔プレート１３ａ，１３ｂの間に配筋されることとなり、有孔プレート１３ａ，１３ｂは、周方向および径方向いずれの方向の引張材とも干渉する心配がない。なお、図示を省略するが、有孔プレートの下端には、支圧強度を付与するためのフランジを設けることもでき、さらには、有孔プレートの一方側ないしは両側から突出するスタッドジベル筋を設けることもできる。さらに、有孔プレートに別途のねじ孔を穿孔しておき、例えば現場にて、該ねじ孔に補強用のボルトを螺合させることもできる。
【００４２】
一方、図４は、本発明のアンカーの他の実施の形態を図示したものである。このアンカー１Ａでは、ベースプレート１２の下面に、２枚の有孔プレート１３ａ，１３ｂの各孔１３ａ１，…，１３ｂ１，…が、基礎底版２の径方向の引張材２２，…を貫通できるように径方向に間隔を置いて立設した姿勢で固設されている。このアンカー１Ａにおいても、基礎底版２の周方向の引張材が２枚の有孔プレート１３ａ，１３ｂの間に配筋されることとなり、有孔プレート１３ａ，１３ｂは、周方向および径方向いずれの方向の引張材とも干渉する心配がない。
【００４３】
図５は、図３に示すアンカー１を適用してなる内槽側板４と基礎底版２との接続構造１０を示した縦断図である。なお、図において、基礎底版２の下筋の図示は省略している。施工に際しては、基礎底版２の特に上筋の配筋に先んじてアンカー１を仮固定し、基礎底版２内の上筋２１，２２を配筋する。アンカー１は、予め工場や現場ヤードにて製作されており、アンカー部材１１の端部とベースプレート１２とは溶接Ｗにて固設されている。引張材の配筋において、周方向の引張材２１，…は有孔プレート１３ａ，１３ｂの各孔に貫通される。その後、基礎底版２のコンクリートを打設／硬化させ、その上方の保冷用底版３の施工および側壁の施工に移行する。側壁の施工は、まず、型枠兼用となり得る内槽側板４と外槽側板５を設置し、内槽側板４の表面にアンカー部材１１の端部を溶接Ｗし、その後に保冷用側壁６のコンクリートの打設がおこなわれる。
【００４４】
図６は、図５のＶＩ−ＶＩ矢視図である。図からも明らかなように、アンカー１を構成する有孔プレート１３ａ，１３ｂの間に、径方向に延設する引張材２２，…が配筋されるため、かかる引張材２２，…の配筋に際して有孔プレート１３ａ，１３ｂが障害となる問題は生じ得ない。なお、有孔プレート１３ａ，１３ｂの基礎底版２への埋め込み長は、設計引張力に抗する基礎底版コンクリートとの間の摩擦力や、周方向引張材２２，…が貫通する孔の位置等を勘案して適宜設定することができる。
【００４５】
本発明のアンカー１は、有孔プレート１３ａ，１３ｂに基礎底版２の引張材を貫通させることにより、アンカー１に作用する引抜力をこの引張材と有孔プレートおよびコンクリート間の摩擦力にて抗する構造となっており、原則として別途の引抜抵抗部材を設ける必要はない。したがって、基礎底版の引張材を有効に利用しながら所要の引抜強度を備えた側壁と基礎底版の接続構造を形成することができることに加えて、アンカーの構成が極めてシンプルであることから、その製作コストも安価となる。さらに施工性もよいため、工期の短縮にも寄与でき、全体工費の低減にも繋がるものである。
【００４６】
図７は、図４に示すアンカー１Ａを適用してなる内槽側板４と基礎底版２との接続構造１０Ａを示した縦断図であり、図８は、図７のＶＩＩＩ−ＶＩＩＩ矢視図である。図からも明らかなように、アンカー１Ａを構成する有孔プレート１３ａ，１３ｂの間に、周方向に延設する引張材２１，…が配筋されるため、かかる引張材２１，…の配筋に際して有孔プレート１３ａ，１３ｂが障害となる問題は生じ得ない。
【００４７】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【図面の簡単な説明】
【００４８】
【図１】本発明のＬＮＧ地上式貯槽タンクの外観およびその内部構造を示した模式図。
【図２】図１のＬＮＧ地上式貯槽タンクの基礎底版〜側壁の一部までを示した斜視図であって、基礎底版の一部の内部の配筋形態を示した図。
【図３】本発明のアンカーの一実施の形態を示した斜視図。
【図４】本発明のアンカーの他の実施の形態を示した斜視図。
【図５】図３に示すアンカーを使用した本発明の側壁と基礎底版の接続構造の一実施の形態を示した縦断図。
【図６】図５のＶＩ−ＶＩ矢視図。
【図７】図４に示すアンカーを使用した本発明の側壁と基礎底版の接続構造の他の実施の形態を示した縦断図。
【図８】図７のＶＩＩＩ−ＶＩＩＩ矢視図。
【図９】従来のアンカーを使用した側壁と基礎底版との接続構造を示した縦断図。
【符号の説明】
【００４９】
１，１Ａ…アンカー、１１…アンカー部材、１２…ベースプレート、１３ａ，１３ｂ…有孔プレート、１３ａ１，１３ｂ１…孔、１４…アンカースリーブ、２…基礎底版、２１…引張材、２２…引張材、３…保冷用底版、４…内槽側板、５…外槽側板、６…保冷用側壁、７…天井、１０，１０Ａ…接続構造、１００…ＬＮＧ地上式貯槽タンク
【図１】
0004802001.tif 000002
【図２】
0004802001.tif 000003
【図３】
0004802001.tif 000004
【図４】
0004802001.tif 000005
【図５】
0004802001.tif 000006
【図６】
0004802001.tif 000007
【図７】
0004802001.tif 000008
【図８】
0004802001.tif 000009
【図９】
0004802001.tif 000010